(57)【要約】【課題】  結露等によって生じた水分がある程度溜まっても、マグネシウムカバーとステンレス本体シャーシなどのような、異種金属接触による腐食の発生が起こらない構造とする。【解決手段】  マグネシウム成形材から成る外装カバーを本体シャーシに対して締結するようにしたカメラのカバー構造において、その締結部分においてのみ本体シャーシと外装カバーとの電気的接続がなされる共に、締結部分は水分の侵入を阻止するシーリングが施され、締結部分以外の領域においては、本体シャーシと外装カバーとの間隔が所定量離れている。【選択図】  図１
2005326648.tif 000002
【特許請求の範囲】
【請求項１】
マグネシウム成形材から成る外装カバーを本体シャーシに対して締結するようにしたカメラのカバー構造において、その締結部分においてのみ本体シャーシと外装カバーとの電気的接続がなされる共に、締結部分は水分の侵入を阻止するシーリングが施され、締結部分以外の領域においては、本体シャーシと外装カバーとの間隔が所定量離れていることを特徴とするカメラのカバー構造。
【請求項２】
前記本体シャーシは、電気的に電位ゼロのグラウンドであることを特徴とする請求項１に記載のカメラのカバー構造。
【発明の詳細な説明】
【技術分野】
【０００１】
本発明は、マグネシウム成形材を外装カバーとするカメラのカバー構造に関するものである。
【背景技術】
【０００２】
近年、カメラの外装カバーには、高品位な商品としての魅力付けとして、金属材料が用いられることが多い。こうした金属カバーの使用は、単に高品位というだけにとどまらず、実質的に機器としての強度が向上し信頼性が増す。また、デジタルカメラのように高度に電子化された機器にとっては、電磁ノイズや静電気による影響を抑制する効果も合わせ持っている。
【０００３】
しかし、一方では、プラスチックカバーを用いた場合に比べて機器としての重量が増加し携帯性を損なう場合も生じる。また多くの場合、ステンレス製カバーのように、プレス加工による成形加工が多いため、その加工性ゆえに、外観デザインなどの自由度が少なからず阻害されることもある。
【０００４】
上記のような金属カバーの利点を維持しつつ、欠点を補い得る材料として近年多く使われている金属材料が、マグネシウム成形材である。
【０００５】
マグネシウム成形材を使用する場合に注意が必要なのは、イオン化傾向が極めて大きいという特性ゆえに腐食し易いことである。そのために、従来よりマグネシウムの防錆処理として、成形上がりに防錆剤を塗布し、その後下塗り、そして本塗装という工程が行われていた。あるいは、下塗りに防錆剤を混入させる場合もある。
【０００６】
しかし、成形上がりの脱脂処理が不十分だったり、あるいはピンホール等の存在によりその密着性が低下し、ある条件下では防錆効果が発揮されない場合が発生する。
【０００７】
一方、マグネシウム等から成る金属カバーの場合、前述したように、磁気ノイズの遮蔽効果が高いが、カバーがグラウンド（以下ＧＮＤ）に接地されている方が更にその効果が得られる。更に、カバーがＧＮＤに接地されることにより、外部からの静電気の印加に対して、内部の電気回路への影響を抑制することができる。そのために、一般的には、ＧＮＤとなっている機器本体の金属シャーシ等に、カバーを接触、あるいはビス等で締結することでＧＮＤに接地するような構造をとっている。
【０００８】
一般的に、本体シャーシとなる部材の材質は、アルミニウム、亜鉛などの成形材や、ステンレスや鉄板のプレス材が用いられる。マグネシウムから成るカバーで上記のような材質の本体シャーシへ、ＧＮＤ接地のための構造をとった場合、異種金属接触による腐食発生の可能性が出てくる。
【０００９】
この異種金属接触腐食の発生原理は、以下の通りである。
【００１０】
金属は与えられた湿性環境下で、ある値の電位を示す。この電位は同じ環境中にあっても金属によって異なり、同じ金属であっても環境によって異なる。ある水溶液中に異なる２つの金属（仮にＡとＢとし、ＡのほうがＢよりも大きな値の電位を示すとする）を浸し、接触あるいは導線でつないだとすると電位差が発生し、いわゆる電池が形成されて、Ａがプラス極、Ｂがマイナス極となって、電流はＡからＢの方へ流れ、Ｂから水溶液に入り、水溶液を通ってＡに戻るという流れを作る。腐食は、電流が金属から環境（ここでは水溶液）に流れ出るところで生じる。すなわち、金属Ｂが腐食する。
【００１１】
ここで、マグネシウムは、アルミニウム、亜鉛、ステンレス、鉄のいずれに対しても、湿性環境下での電位は最も低く、すなわち上記でいう金属Ｂになる。
【００１２】
適当な先行技術文献が見当たらないので、この種の従来例を図３を用いて説明する。
【００１３】
さて、カメラ等の機器にとって、湿性環境下というのは、急激な温湿度変化によって内部で結露を起こし、水分が下方に溜まるような状況が想定される。図３においてその状態を説明する。
【００１４】
図３は、図４で示すカメラの矢視部分断面図である。図４はカメラの３面図であり、底面図で示す断面指示部、すなわち、マグネシウム成形材によるバックカバー３０１を、ビス３０３で、ステンレス材による本体シャーシ３０２に締結した部分の断面をとり、側面図の丸印で囲んだ範囲を拡大指示したものが図３である。３０４は水分で、急激な温湿度変化による結露で生じた水分がカメラの下方に溜まった状態を示している。この水分３０４は、底面の本体シャーシ３０２とバックカバー３０１の接触部分の僅かな隙間にも当然しみ込んでいく。
【００１５】
図３の状態は、まさに前述した異種金属接触腐食の発生状態に匹敵しており、水溶液が水分３０４、金属Ａが本体シャーシ３０２、金属Ｂがバックカバー３０１という関係にある。このとき、バックカバー３０１の防錆処理が前述したように、成形上がりの脱脂処理が不十分だったり、あるいはピンホール等の存在によりその密着性が低下していると、防錆効果が薄れ、そこから腐食が始まる。
【００１６】
腐食が進めば、強度上の問題を引き起こすが、その前に、腐食によって生じたサビが、カバーの隙間から外観側に染み出して、機器としての品位を損ない信頼性の減少につながる。
【特許文献１】特開２００３−９８５８４号公報
【発明の開示】
【発明が解決しようとする課題】
【００１７】
本発明は以上の状況に鑑みてなされたもので、結露等によって生じた水分がある程度溜まっても、マグネシウムカバーとステンレス本体シャーシなどのような、異種金属接触による腐食の発生が起こらない構造とし、一方では、デジタルカメラような電子機器において必要な、電磁ノイズや静電気印加への耐性を保証するために、カバーを本体シャーシ（ＧＮＤ）に確実に接地させ得る構造をとることで、機器としての高品位感、剛性感、信頼感を保つことを目的とするものである。
【課題を解決するための手段】
【００１８】
以上の課題を解決するために本発明では、マグネシウム成形材から成る外装カバーを本体シャーシに対して締結するようにしたカメラのカバー構造において、その締結部分においてのみ本体シャーシと外装カバーとの電気的接続がなされる共に、締結部分は水分の侵入を阻止するシーリングが施され、締結部分以外の領域においては、本体シャーシと外装カバーとの間隔が所定量離れていることを特徴とするカメラのカバー構造とした。
【発明の効果】
【００１９】
本発明によれば、結露等によって生じた水分がある程度溜まっても、マグネシウムカバーとステンレス本体シャーシの２つの異種金属が水分内に同時に浸ることはない。そのため、異種金属接触による腐食の発生が起こらず、一方では、カバーを本体シャーシ（ＧＮＤ）に確実に接地させ得るので、デジタルカメラのような電子機器において必要な、電磁ノイズや静電気印加への耐性が保証できる。よって、機器としての高品位感、剛性感、信頼感を保つことができるものである。
【発明を実施するための最良の形態】
【００２０】
以下に本発明の実施例について説明する。
【実施例１】
【００２１】
図１は本発明の第１の実施例で、１０１はマグネシウム成形材によるバックカバー、１０２はステンレス材による本体シャーシ、１０３はバックカバー１０１と本体シャーシ１０２を締結するビス、１０４はゴム等の弾性部材によるシーリングである。バックカバー１０１にはボス１０１ａが形成されており、これにより、バックカバー１０１と本体シャーシ１０２の所定量の間隔を保証すると同時に、確実な接触を保証する。本体シャーシ１０２は、電気的なＧＮＤになっており、これにより、バックカバー１０１の本体シャーシ１０２への接地がなされている。シーリング１０４は、ボス１０１ａの高さよりも僅かに高い高さを持つ円筒状の部材で、ボス１０１ａの外周に嵌められ、ビス１０３の締結により押しつぶされ、バックカバー１０１と本体シャーシ１０２の接触部への水分の浸入を阻止する。
【００２２】
以上の構成によれば、仮に結露による水分が底面に溜まっても、所定量の隙間が確保されているため、マグネシウムとステンレスの２つの異種金属が水分内に同時に浸ることはない。
【実施例２】
【００２３】
図２は本発明の第２の実施例で、図１の第１の実施例と同一部材には同一番号を付してその説明は省略する。
【００２４】
２０５は金属製ブッシュで、バックカバー１０１と本体シャーシ１０２の所定量の間隔を保証すると同時に、確実な接触を保証する。本体シャーシ１０２は電気的なＧＮＤになっており、これにより、バックカバー１０１の本体シャーシ１０２への接地がなされている。シーリング１０４は金属製ブッシュ２０５の高さよりも僅かに高い高さを持ち、金属製ブッシュ２０５の外周に嵌められ、ビス１０３の締結により押しつぶされ、バックカバー１０１と本体シャーシ１０２の接触部への水分の浸入を阻止する。
【図面の簡単な説明】
【００２５】
【図１】実施例１を示す部分断面図。
【図２】実施例２を示す部分断面図。
【図３】従来例を示す部分断面図。
【図４】カメラの３面図。
【符号の説明】
【００２６】
１０１  バックカバー
１０２  本体シャーシ
１０３  ビス
１０４  シーリング
２０５  ブッシュ
【図１】
2005326648.tif 000003
【図２】
2005326648.tif 000004
【図３】
2005326648.tif 000005
【図４】
2005326648.tif 000006